(57)【特許請求の範囲】
【請求項１】
撮像素子で撮像して得られた同一の画像信号に各々異なる画像処理を同時期に施す複数の画像処理部と、
前記複数の画像処理部により画像処理が施された複数のスルー画像を一画面上に表示する表示部とを備え、 
前記表示部は、前記撮像又は前記画像処理に関連する設定項目であって、前記設定項目を変えることにより画像が視覚的に変化するものを、複数の設定項目から１以上選択する時に、前記複数の設定項目に対応した複数のスルー画像を一画面上に表示し、前記複数のスルー画像は、それぞれ前記撮像で得られた画像の全体を表示することを特徴とする撮像装置。
【請求項２】
前記撮像に関連する設定項目の選択を行う場合、フレームごとに、前記撮像素子は、異なる設定項目に対応した撮像条件で撮像を行い、前記画像処理部は、前記撮像条件の撮像で得られた画像信号に前記画像処理を施し、前記表示部は、前記撮像条件に対応するスルー画像を更新し、
前記画像処理に関連する設定項目の選択を行う場合、フレームごとに、前記画像処理部は、異なる設定項目に対応した画像処理条件で前記画像処理を行い、前記表示部は、前記画像処理条件に対応するスルー画像を更新することを特徴とする請求項１に記載の撮像装置。
【請求項３】
前記設定項目は、前記画像処理に関連するものであり、
前記複数の設定項目から２以上の設定項目が選択された場合には、前記画像処理部は、レリーズ操作後の撮像で得られた画像信号に対して、前記２以上の設定項目それぞれに対応した画像処理を施すことを特徴とする請求項１又は２に記載の撮像装置。
【請求項４】
前記設定項目は、前記撮像に関連するものであり、
前記複数の設定項目から２以上選択された場合には、選択された設定項目に対応した撮像がレリーズ操作後に行われ、前記画像処理部は、異なる設定項目に対応して行われた撮像で得られた前記２以上の画像信号に対して、それぞれ画像処理を施すことを特徴とする請求項１又は２に記載の撮像装置。
【請求項５】
前記表示部に表示された複数のスルー画像から、１以上のスルー画像を選択することにより、前記複数の設定項目から１以上の設定項目が決定されることを特徴とする請求項１又は２に記載の撮像装置。
【請求項６】
前記撮像に関連する設定項目の選択は、露出補正度合いの選択であることを特徴とする請求項１に記載の撮像装置。
【請求項７】
前記画像処理に関連する設定項目の選択は、ホワイトバランスモードの選択、または前記画像処理における画像上に施す飾り付けの選択であることを特徴とする請求項１に記載の撮像装置。
【発明の詳細な説明】
【技術分野】
【０００１】
本発明は、ホワイトバランスなどの設定項目に対応したスルー画像を複数表示する撮像装置に関する。
【背景技術】
【０００２】
従来、ホワイトバランスモードを選択する場合、選択されたホワイトバランスモードで画像処理が施されたスルー画像が１つだけ表示される。この場合、選択されていないホワイトバランスモードで画像処理が施された場合の画像は表示されない。これに対して、特許文献１は、１つの画像を２分割し、分割した領域の一方でホワイトバランスモードを選択する前の画像を表示し、他方で選択した後の画像を表示するデジタルカメラを開示する。
【先行技術文献】
【特許文献】
【０００３】
【特許文献１】特開２００２−１５８９０３号公報
【発明の概要】
【発明が解決しようとする課題】
【０００４】
しかし、被写体における同じ領域の画像で比較することが出来ないため、左右対称でない被写体の場合など、最適なホワイトバランスモードを選択することが難しい場合が考えられる。
【０００５】
したがって本発明の目的は、ホワイトバランスモードなど、設定項目に対応した処理結果を視覚化する撮像装置を提供することである。
【課題を解決するための手段】
【０００６】
本発明に係る撮像装置は、撮像素子で撮像して得られた画像信号に画像処理を施す画像処理部と、画像処理が施されたスルー画像を表示する表示部とを備え、表示部は、撮像又は画像処理に関連する設定項目であって、設定項目を変えることにより画像が視覚的に変化するものを、複数の設定項目から１以上選択する時に、複数の設定項目に対応した複数のスルー画像を一画面上に表示し、複数のスルー画像は、それぞれ撮像で得られた画像の全体を表示する。
【０００７】
これにより、使用者は、複数の設定項目のそれぞれに対応した撮像が行われたまたは画像処理が施されたスルー画像（処理結果）を同時に見ることが出来る。すなわち視覚化された、各設定項目を選択した場合の処理結果（スルー画像）を確認しながら、設定項目を選択することが可能になる。このとき、複数のスルー画像は、それぞれ画像の一部ではなく全体を表示しているため、各設定項目を選択した場合の画像の全体の雰囲気を確認することが可能になる。このため、被写体における同じ領域の画像で、各設定項目に対応した処理結果を比較することが出来、容易に最適な設定項目を選択することが可能になる。
【０００８】
好ましくは、撮像に関連する設定項目の選択を行う場合、フレームごとに、撮像素子は、異なる設定項目に対応した撮像条件で撮像を行い、画像処理部は、撮像条件の撮像で得られた画像信号に画像処理を施し、表示部は、撮像条件に対応するスルー画像を更新し、画像処理に関連する設定項目の選択を行う場合、フレームごとに、画像処理部は、異なる設定項目に対応した画像処理条件で画像処理を行い、表示部は、画像処理条件に対応するスルー画像を更新する。
【０００９】
これにより、各スルー画像が順次更新されるので、ほぼ同時期の撮像で得られた複数のスルー画像を一画面上に並べて表示することが可能になる。
【００１０】
また、好ましくは、設定項目は、画像処理に関連するものであり、複数の設定項目から２以上の設定項目が選択された場合には、画像処理部は、レリーズ操作後の撮像で得られた画像信号に対して、２以上の設定項目それぞれに対応した画像処理を施す。
【００１１】
これにより、異なるホワイトバランス処理などの画像処理に関連する設定項目に対応する画像処理が施された２以上の画像が得られることになる。
【００１２】
また、好ましくは、設定項目は、撮像に関連するものであり、複数の設定項目から２以上選択された場合には、選択された設定項目に対応した撮像がレリーズ操作後に行われ、画像処理部は、異なる設定項目に対応して行われた撮像で得られた２以上の画像信号に対して、それぞれ画像処理を施す。
【００１３】
これにより、異なる露出補正度合いなどの撮像に関連する設定項目に対応した撮像に基づく２以上の画像が得られることになる。
【００１４】
さらに好ましくは、表示部に表示された複数のスルー画像から、１以上のスルー画像を選択することにより、複数の設定項目から１以上の設定項目が決定される。
【００１５】
また、好ましくは、撮像に関連する設定項目の選択は、露出補正度合いの選択である。
【００１６】
また、好ましくは、画像処理に関連する設定項目の選択は、ホワイトバランスモードの選択、または画像処理における画像上に施す飾り付けの選択である。
【発明の効果】
【００１７】
以上のように本発明によれば、ホワイトバランスモードなど、設定項目に対応した処理の結果を視覚化する撮像装置を提供することができる。
【図面の簡単な説明】
【００１８】
【図１】本実施形態における撮像装置の構成図である。
【図２】６つのホワイトバランスモードで画像処理を行った６つのスルー画像を表示する表示部を示す図である。
【発明を実施するための形態】
【００１９】
以下、本実施形態について、図を用いて説明する。本実施形態における撮像装置１０は、撮像素子１１、フォーカシングレンズ１２、画像処理部１３、レリーズボタン１４、表示部１５、記録媒体１６、カメラ制御部１７、及び操作部１８を有するデジタルカメラである（図１参照）。
【００２０】
被写体からの反射光は、フォーカシングレンズ１２を含むレンズを介して入射し、撮像素子１１で撮像される。画像処理部１３は、撮像で得られた画像信号に所定の画像処理を施して画像データを生成し、画像データに対応する画像を表示部１５に表示する。かかる動作を１フレームごとに行うことにより、スルー画像が表示部１５に表示される（ライブビュー表示）。カメラ制御部１７は、画像処理部１３など撮像装置１０の各部の制御を行う。
【００２１】
レリーズボタン１４が半押しされた場合、画像処理部１３は、撮像で得られた画像信号から得られる輝度信号に基づいて、露光条件（絞り値や露光時間など）の算出、及び合焦制御を行う。合焦制御では、画像処理部１３は、フォーカシングレンズ１２をレンズの光軸方向に移動させながら、輝度信号に基づくコントラストデータを順次生成し、コントラストデータが最大値を示す時に合焦したと判断し、フォーカシングレンズ１２を合焦したと判断した位置（合焦位置）で停止させる。
【００２２】
レリーズボタン１４が全押しされた場合、画像処理部１３は、半押し時に決定した絞り値などの露光条件やフォーカシングレンズ１２の合焦位置で、撮像を行い、撮像で得られた画像信号に所定の画像処理を施して画像データを生成し、該画像データに基づく静止画像を表示部１５に表示し、該画像データを含む画像ファイルを記録媒体１６に記録する。
【００２３】
表示部１５は、カメラ制御部１７の制御に基づいて、ライブビュー表示の他、記録媒体１６に記録された画像を示す。
【００２４】
また、表示部１５は、ホワイトバランス設定時（ホワイトバランスモードを選択する時）に、複数のホワイトバランスモードごとに、ホワイトバランス処理を施した複数のスルー画像を表示する。図２は、表示部１５の表示領域上に、６つのスルー画像表示を行うための６つの表示領域（第１〜第６領域１５ａ〜１５ｆ）が設けられる状態を示す。具体的には、第１領域１５ａでは、自動制御でホワイトバランスパラメータを設定するオートホワイトバランスモードに対応したスルー画像表示が行われ、第２領域１５ｂでは、太陽の下で撮影するときに最適なホワイトバランスパラメータを設定する太陽光モードに対応したスルー画像表示が行われ、第３領域１５ｃでは、日陰で撮影するときに最適なホワイトバランスパラメータを設定する日陰モードに対応したスルー画像表示が行われ、第４領域１５ｄでは、白熱灯で照明されたものを撮影するときに最適なホワイトバランスパラメータを設定する白熱灯モードに対応したスルー画像表示が行われ、第５領域１５ｅでは、蛍光灯で照明されたものを撮影するときに最適なホワイトバランスパラメータを設定する蛍光灯モードに対応したスルー画像表示が行われ、第６領域１５ｆでは、内蔵ストロボを使用して撮影するときに最適なホワイトバランスパラメータを設定するストロボモードに対応したスルー画像表示が行われる。なお、複数のスルー画像は、それぞれ撮像で得られた画像の全体を表示する。
【００２５】
図２の状態で、操作部１８を使って、カーソルを移動させ、ＯＫキー（不図示）を操作するなどにより、表示部１５に表示された複数の（ここでは６つの）スルー画像から、１つのスルー画像が選択され、複数のホワイトバランスモードから１つのホワイトバランスモードが決定されることになる。
【００２６】
なお、複数のホワイトバランスモードから、２以上のホワイトバランスモードを選択する形態であってもよい。２以上のホワイトバランスモードが選択された場合には、撮像装置１０は、ホワイトバランスブラケットモードに設定され、レリーズボタン１４の１回の全押し動作（レリーズ操作）の後、撮像が行われる。画像処理部１３は、撮像で得られた画像信号に対して、２以上のホワイトバランスモードそれぞれに対応した画像処理を施す。これにより、異なるホワイトバランス処理が施された２以上の画像が得られることになる。
【００２７】
かかるホワイトバランス設定時の複数のスルー画像表示のために、画像処理部１３は、フレームごとに異なるホワイトバランスモードでの画像処理を行い、対応するホワイトバランスモードのスルー画像を更新する。このため、各スルー画像が更新される間隔は、撮像素子１１のフレームレートと、一画面上に表示するスルー画像の数に基づいて決定する。
【００２８】
例えば、あるフレームの撮像で得られた画像信号に対してオートホワイトバランスモードで画像処理が施され、第１領域１５ａにおけるスルー画像表示が更新される。次のフレームの撮像で得られた画像信号に対して太陽光モードで画像処理が施され、第２領域１５ｂにおけるスルー画像表示が更新される。その次のフレームの撮像で得られた画像信号に対して日陰モードで画像処理が施され、第３領域１５ｃにおけるスルー画像表示が更新される。その次のフレームの撮像で得られた画像信号に対して白熱灯モードで画像処理が施され、第４領域１５ｄにおけるスルー画像表示が更新される。その次のフレームの撮像で得られた画像信号に対して蛍光灯モードで画像処理が施され、第５領域１５ｅにおけるスルー画像表示が更新される。その次のフレームの撮像で得られた画像信号に対してストロボモードで画像処理が施され、第６領域１５ｆにおけるスルー画像表示が更新される。その次のフレームの撮像で得られた画像信号に対してオートホワイトバランスモードで画像処理が施され、第１領域１５ａにおけるスルー画像表示が更新される。従って、第１〜第６領域１５ａ〜１５ｆに表示された各スルー画像は、６フレームごとに更新されることになる。
【００２９】
これにより、各スルー画像が順次更新されるので、ほぼ同時期の撮像で得られた複数のスルー画像を一画面上に並べて表示することが可能になる。
【００３０】
なお、複数（ここでは６つ）の画像処理部１３を設けた場合には、同じフレームの撮像で得られた画像信号に該複数のホワイトバランス処理を施す画像処理を同時期に行い、１フレームごとに各スルー画像を更新することが可能である。
【００３１】
使用者は、それぞれのホワイトバランスパラメータでホワイトバランス処理が施されたスルー画像（画像処理結果）を同時に見ることが出来る。すなわち視覚化された各ホワイトバランスモードを選択した場合の画像処理結果（スルー画像）を確認しながら、操作部１８を使って、カーソル位置を選択したいホワイトバランスモードに対応するスルー画像上に移動させるなどして、ホワイトバランスモードを選択することが可能になる。
【００３２】
このとき、複数のスルー画像は、それぞれ画像の一部ではなく全体を表示しているため、各ホワイトバランスモードを選択した場合の画像の全体の雰囲気を確認することが可能になる。このため、被写体における同じ領域の画像で、各ホワイトバランスモードに対応した処理結果を比較することが出来、容易に最適なホワイトバランスモードを選択することが可能になる。
【００３３】
なお、本実施形態では、ホワイトバランスモードの選択時に、各ホワイトバランスモードに対応したスルー画像を一画面上で表示する形態を説明したが、複数のスルー画像を一画面上に表示する形態は、ホワイトバランスモードの選択時に限られるものではない。
【００３４】
例えば、撮像または画像処理に関連する設定項目であって、設定項目を変えることにより画像が視覚的に変化するものを、複数の設定項目から１以上選択する時に、複数の設定項目に対応した複数のスルー画像を一画面上で表示する形態であってもよい。
【００３５】
撮像に関連する設定項目の選択としては、露出補正度合いの選択が考えられ、この場合、フレームごとに、撮像素子１１は、異なる設定項目に対応した撮像条件（露出補正度合い）で撮像を行い、画像処理部１３は、該撮像条件の撮像で得られた画像信号に画像処理を施し、表示部１５は、該撮像条件に対応したスルー画像を更新する。
【００３６】
複数の露出補正度合いから、２以上の露出補正度合いが選択された場合には、撮像装置１０は、オートブラケットモードに設定され、レリーズボタン１４の１回の全押し動作（レリーズ操作）の後、選択された露出補正度合いに対応した撮像が行われる。画像処理部１３は、異なる露出補正度合いで行われた撮像で得られた２以上の画像信号に対して、それぞれ画像処理を施す。これにより、異なる露出補正度合いの撮像に基づく２以上の画像が得られることになる。
【００３７】
画像処理に関連する設定項目の選択としては、画像処理における画像上に施す飾り付け（飾り付け枠など）の選択が考えられ、この場合、フレームごとに、画像処理部１３は、撮像で得られた画像信号に対して異なる設定項目に対応した画像処理条件（飾り付け内容）で画像処理を施し、表示部１５は、該画像処理条件に対応したスルー画像を更新する。
【００３８】
これにより、使用者は、複数の設定項目のそれぞれに対応した撮像が行われたまたは画像処理が施されたスルー画像（処理結果）を同時に見ることが出来る。すなわち視覚化された、各設定項目を選択した場合の処理結果（スルー画像）を確認しながら、操作部１８を使って、カーソル位置を選択したい設定項目に対応するスルー画像上に移動させるなどして、設定項目を選択することが可能になる。
【符号の説明】
【００３９】
１０  撮像装置
１１  撮像素子
１２  フォーカシングレンズ
１３  画像処理部
１４  レリーズボタン
１５  表示部
１５ａ〜１５ｆ  第１〜第６領域
１６  記録媒体
１７  カメラ制御部
１８  操作部
【図１】
0005532785.tif 000002
【図２】
0005532785.tif 000003